(57)【要約】【課題】落下などの衝撃に対して、表示パネルが破損することを抑制することが可能な表示装置および携帯電話を提供する。【解決手段】この表示装置（ＬＣＤユニット４０）は、ガラス基板１４および１５から構成される表示パネルと、表示パネルの上側に配置され、表示パネルを収納するための金属製の上側フレーム１と、上側フレーム１と表示パネルを構成するガラス基板１５の上面との間に配置され、発泡性材料からなる緩衝部材２０とを備える。【選択図】図６
2006154366.tif 000002
【特許請求の範囲】
【請求項１】
表示パネルと
前記表示パネルの上側に配置され、前記表示パネルを収納するための金属製の上側フレームと、
前記上側フレームと前記表示パネルの上面との間に配置され、緩衝性材料からなる第１緩衝部材とを備えたことを特徴とする、表示装置。
【請求項２】
前記金属製の上側フレームの内部に配置され、前記表示パネルを固定するための樹脂製フレームをさらに備え、
前記金属製の上側フレームと前記樹脂製フレームとの間には、前記緩衝性材料からなる第１緩衝部材が配置されていることを特徴とする、請求項１に記載の表示装置。
【請求項３】
前記第１緩衝部材は、前記表示パネル側には取り付けられることなく前記上側フレーム側に取り付けられていることを特徴とする、請求項１または２に記載の表示装置。
【請求項４】
前記第１緩衝部材は、前記表示パネルの上面の縁部を囲むように設けられていることを特徴とする、請求項１〜３のいずれか１項に記載の表示装置。
【請求項５】
前記表示パネルの表面に取り付けられる第１電子部品と、
前記第１電子部品の上面に対向する前記金属製の上側フレームの対向部分に設けられ、緩衝性材料からなる第２緩衝部材とをさらに備えることを特徴とする、請求項１〜４のいずれか１項に記載の表示装置。
【請求項６】
前記第１緩衝部材と前記第２緩衝部材とは、同一の前記緩衝性材料により一体的に設けられていることを特徴とする、請求項５に記載の表示装置。
【請求項７】
前記表示パネルの下側に配置され、前記表示パネルを収納するための金属製の下側フレームをさらに備え、
前記上側フレームの側面には、挿入孔が設けられるとともに、前記下側フレームの側面には、前記上側フレームの挿入孔に係合される突起部と、前記突起部の下部から所定の長さ分だけ下方の位置まで延びる係合解除用穴とが設けられていることを特徴とする、請求項１〜６のいずれか１項に記載の表示装置。
【請求項８】
前記表示パネルに取り付けられるとともに、前記上側フレームの内部から外部に延びるように配置された表示パネル用のフレキシブルプリント配線板をさらに備え、
前記フレキシブルプリント配線板は、コネクタ差込部と、前記表示パネル側に配置される第１折り曲げ部と、前記コネクタ差込部および前記第１折り曲げ部の間に配置される第２折り曲げ部とを有することを特徴とする、請求項１〜７のいずれか１項に記載の表示装置。
【請求項９】
前記フレキシブルプリント配線板には、第２電子部品および第３電子部品が取り付けられており、
前記フレキシブルプリント配線板は、前記第２電子部品が取り付けられる第１電子部品取付部と、前記第３電子部品が取り付けられる第２電子部品取付部と、前記第１電子部品取付部および前記第２電子部品取付部の間に配置される第３折り曲げ部とを有することを特徴とする、請求項８に記載の表示装置。
【請求項１０】
前記フレキシブルプリント配線板の前記コネクタ差込部と前記第２電子部品取付部との間には、スリットが設けられていることを特徴とする、請求項９に記載の表示装置。
【請求項１１】
前記緩衝性材料は、発泡性材料からなることを特徴とする、請求項１〜１０のいずれか１項に記載の表示装置。
【請求項１２】
請求項１〜１１のいずれか１項に記載の表示装置を含むことを特徴とする、携帯電話。
【発明の詳細な説明】
【技術分野】
【０００１】
この発明は、表示装置および携帯電話に関し、特に、表示パネルを備えた表示装置および携帯電話に関する。
【背景技術】
【０００２】
従来、表示パネルを備えた表示装置が知られている（たとえば、特許文献１参照）。上記特許文献１には、液晶パネル（表示パネル）の縁部を金属製のベゼル（上側フレーム）と金属製のセンタシャーシとで挟持する液晶表示装置（ＬＣＤ（Ｌｉｑｕｉｄ  Ｃｒｙｓｔａｌ  Ｄｉｓｐｌａｙ）ユニット）の構造が開示されている。しかし、このように、液晶パネルを金属製のベゼルと金属製のセンタシャーシとで挟持する構造では、落下などにより液晶表示装置に衝撃が加えられた場合に、液晶パネルと、金属製のベゼルおよびセンタシャーシとが接触することに起因して、液晶パネルが破損するという問題点がある。
【０００３】
また、従来、金属製の上側フレームと、表示パネルを固定する樹脂製フレームとを両面テープで貼り付ける表示装置（ＬＣＤユニット）の構造が開示されている。図１８は、従来の一例による上側フレームと樹脂製フレームとを両面テープで貼り付けたＬＣＤユニットを示した斜視図である。図１９は、図１８に示した従来のＬＣＤユニットの分解斜視図である。図２０〜図２２は、図１８に示した従来のＬＣＤユニットの詳細構造を説明するための図である。図１８〜図２２を参照して、従来のＬＣＤユニット１４０の構造について説明する。
【０００４】
従来のＬＣＤユニット１４０は、図１８に示すように、金属製の上側フレーム１０１および下側フレーム１０２と、上側フレーム１０１および下側フレーム１０２の内部に配置される上側偏光板１０３と、パネル用フレキシブルプリント配線板（パネル用ＦＰＣ）１０４とを備えている。また、ＬＣＤユニット１４０のパネル用ＦＰＣ１０４のコネクタ差込部１０４ｂは、携帯電話のプリント配線基板１３０のコネクタ部１３１に接続されている。
【０００５】
また、図１９に示すように、下側フレーム１０２は、底面部１０２ａと、底面部１０２ａの４辺から上方向に延びるように形成される４つの側面部１０２ｂとを含んでいる。この側面部１０２ｂには、複数の突起部１０２ｃが外側に向かって設けられている。また、パネル用ＦＰＣ１０４が配置される側の下側フレーム１０２の側面部１０２ｂには、切欠部１０２ｄが設けられている。また、下側フレーム１０２の底面部１０２ａの上側には、反射シート１０５が配置されている。また、反射シート１０５の上側には、底部に開口部１０６ａを有する樹脂製フレーム１０６が設けられている。この樹脂製フレーム１０６の下側フレーム１０２の切欠部１０２ｄに対応する部分には、パネル用ＦＰＣ１０４が挿入されるＦＰＣ挿入部１０６ｂが形成されている。
【０００６】
また、樹脂製フレーム１０６の内部には、図２１および図２２に示すように、下から順番に、後述する発光ダイオード（ＬＥＤ）１０７（図２２参照）からの光をパネル全体に導くための導光板１０８と、２枚のレンズシート１０９とが配置されている。また、レンズシート１０９は、導光板１０８からの光を上側に透過するとともに、集光する機能を有する。また、レンズシート１０９の上側には、拡散シート１１０が配置されている。この拡散シート１１０は、レンズシート１０９からの光を上側に透過するとともに、拡散する機能を有する。また、図２２に示すように、導光板１０８の上面には、図示しない両面テープによりバックライト用フレキシブルプリント配線板（バックライト用ＦＰＣ）１１１が取り付けられている。このバックライト用ＦＰＣ１１１には、樹脂製フレーム１０６のＦＰＣ挿入部１０６ｂから外側に突出するように延びる外部接続部が設けられているとともに、その外部接続部の先端部分には、コネクタ差込部１１１ａ（図１９参照）が設けられている。また、バックライト用ＦＰＣ１１１には、導光板１０８に光を照射するＬＥＤ１０７が複数取り付けられている。また、ＬＥＤ１０７は、導光板１０８に向かって光を照射するように配置されている。
【０００７】
また、拡散シート１１０の上面の縁部に沿った周辺部分には、図１９に示すように、開口部１１２ａを有する黒色の接着層１１２が接着されている。この接着層１１２は、レンズシート１０９の縁部の周辺部分を覆うように設けられ、レンズシート１０９の縁部の周辺部分から上方に向かって進行する光を遮光する機能を有する。また、拡散シート１１０および接着層１１２の上側には、図２１および図２２に示すように、下側偏光板１１３が配置されている。この下側偏光板１１３の上側には、液晶を挟み込むように対向配置された下側のガラス基板１１４および上側のガラス基板１１５が配置されている。なお、下側のガラス基板１１４には、薄膜トランジスタ（図示せず）が形成されている。また、液晶および薄膜トランジスタを含むガラス基板１１４および１１５によって、表示パネルが構成されている。また、図２２に示すように、下側のガラス基板１１４には、上側のガラス基板１１５から樹脂製フレーム１０６のＦＰＣ挿入部１０６ｂ側に突出した突出部１１４ａが形成されている。また、上側のガラス基板１１５の上側には、上側偏光板１０３が配置されている。
【０００８】
また、図１９および図２２に示すように、下側のガラス基板１１４の突出部１１４ａの上面には、表示パネルを駆動するための駆動ＩＣ（Ｉｎｔｅｇｒａｔｅｄ  Ｃｉｒｃｕｉｔ）１１６およびパネル用ＦＰＣ１０４が取り付けられている。また、パネル用ＦＰＣ１０４は、駆動ＩＣ１１６に電気的に接続されている。
【０００９】
また、パネル用ＦＰＣ１０４の外側に突出した部分には、図１８および図１９に示すように、複数の電子部品１１７が取り付けられる電子部品取付部１０４ａが設けられている。また、図１８に示すように、電子部品取付部１０４ａには、バックライト用ＦＰＣ１１１のコネクタ差込部１１１ａ（図１９参照）が接続されるコネクタ部１１８が取り付けられている。また、電子部品取付部１０４ａの先端側には、コネクタ差込部１０４ｂが設けられている。
【００１０】
また、上側偏光板１０３の上側には、図１９に示すように、金属製の上側フレーム１０１が配置されている。この上側フレーム１０１には、ガラス基板１１４および１１５の表示領域に対応する部分に開口部１０１ａが設けられている。また、図１９および図２０に示すように、上側フレーム１０１は、上面部１０１ｂと、下面部１０１ｃと、上面部１０１ｂおよび下面部１０１ｃの４辺から下側フレーム１０２の方向に延びるように形成される４つの側面部１０１ｄとを含んでいる。また、上側フレーム１０１の側面部１０１ｄには、下側フレーム１０２の複数の突起部１０２ｃが挿入される複数の挿入孔１０１ｅが設けられている。また、側面部１０１ｄには、下側フレーム１０２の切欠部１０２ｄに対応する位置に切欠部１０１ｆが設けられている。この下側フレーム１０２の切欠部１０２ｄおよび上側フレーム１０１の切欠部１０１ｆによって構成される開口部を介して、図１８に示すように、パネル用ＦＰＣ１０４およびバックライト用ＦＰＣ１１１が、外部に突出するように配置されている。また、図２０に示すように、上側フレーム１０１の下面部１０１ｃには、両面テープ１１９の一方面が貼り付けられている。また、図２１に示すように、両面テープ１１９の他方面は樹脂製フレーム１０６およびガラス基板１１５に貼り付けられている。
【特許文献１】特開２００４−２９６６３号公報
【発明の開示】
【発明が解決しようとする課題】
【００１１】
図１８〜図２２に示した従来のＬＣＤユニット１４０では、金属製の上側フレーム１０１の下面部１０１ｃとガラス基板１１５との間に貼り付けられた両面テープ１１９は、緩衝吸収性を有しないため、落下などによりＬＣＤユニット１４０の金属製の上側フレーム１０１に衝撃が加えられた場合に、その上側フレーム１０１の衝撃が緩和されることなくそのままガラス基板１１５に伝達される。このため、ガラス基板１１５（表示パネル）が割れて破損する場合があるという問題点があった。
【００１２】
この発明は、上記のような課題を解決するためになされたものであり、この発明の１つの目的は、落下などの衝撃に対して、表示パネルが破損することを抑制することが可能な表示装置および携帯電話を提供することである。
【課題を解決するための手段および発明の効果】
【００１３】
上記目的を達成するために、この発明の第１の局面による表示装置は、表示パネルと表示パネルの上側に配置され、表示パネルを収納するための金属製の上側フレームと、上側フレームと表示パネルの上面との間に配置され、緩衝性材料からなる第１緩衝部材とを備える。
【００１４】
この第１の局面による表示装置では、上記のように、上側フレームと表示パネルとの間に、緩衝性材料からなる第１緩衝部材を配置することによって、落下などにより、外枠を構成する金属製の上側フレームに衝撃が加わった場合にも、第１緩衝部材により衝撃が緩和された状態で表示パネルに伝達されるので、表示パネルが破損することを抑制することができる。また、第１緩衝部材を緩衝性材料により形成することによって、容易に、第１緩衝部材に衝撃吸収機能を持たせることができる。
【００１５】
上記第１の局面による表示装置において、好ましくは、金属製の上側フレームの内部に配置され、表示パネルを固定するための樹脂製フレームをさらに備え、金属製の上側フレームと樹脂製フレームとの間には、緩衝性材料からなる第１緩衝部材が配置されている。このように構成すれば、落下などにより、外枠を構成する金属製の上側フレームに衝撃が加わった場合にも、第１緩衝部材により衝撃が緩和された状態で樹脂製フレームの上面に伝達されるので、樹脂製フレームに強い衝撃が加わることを抑制することができる。
【００１６】
上記第１の局面による表示装置において、好ましくは、第１緩衝部材は、表示パネル側には取り付けられることなく上側フレーム側に取り付けられている。このように構成すれば、装置内部に進入した埃などの異物を除去するために、上側フレーム、樹脂製フレームおよび表示パネルを分解する場合に、第１緩衝部材が、上側フレーム側に取り付けられているとともに表示パネル（ガラス基板）側には取り付けられていないため、上側フレームと、ガラス基板などとが両面テープにより互いに接着されている場合と異なり、ガラス基板などを破損することなく、容易に分解することができる。また、容易に分解することができるので、容易に、再度組み立てることができる。これにより、分解した表示装置を容易に再利用することができる。
【００１７】
上記第１の局面による表示装置において、好ましくは、第１緩衝部材は、表示パネルの上面の縁部を囲むように設けられている。このように構成すれば、落下などにより、外枠を構成する金属製の上側フレームに衝撃が加わった場合にも、表示パネルの上面の縁部を囲むように設けられた第１緩衝部材により、縁部の全体に渡って衝撃を吸収することができるので、表示パネルの破損をより抑制することができる。
【００１８】
上記第１の局面による表示装置において、好ましくは、表示パネルの表面に取り付けられる第１電子部品と、第１電子部品の上面に対向する金属製の上側フレームの対向部分に設けられ、緩衝性材料からなる第２緩衝部材とをさらに備える。このように構成すれば、落下などの衝撃により第１電子部品と金属製の上側フレームとが近づく場合にも、第２緩衝部材により、第１電子部品に加わる衝撃を緩和することができるので、第１電子部品が破損することを抑制することができる。
【００１９】
上記第１緩衝部材および第２緩衝部材が設けられている表示装置において、好ましくは、第１緩衝部材と第２緩衝部材とは、同一の緩衝性材料により一体的に設けられている。このように構成すれば、第１緩衝部材と第２緩衝部材とを別体で形成する場合に比べて、部品点数を減少させることができる。
【００２０】
上記第１の局面による表示装置において、好ましくは、表示パネルの下側に配置され、表示パネルを収納するための金属製の下側フレームをさらに備え、上側フレームの側面には、挿入孔が設けられるとともに、下側フレームの側面には、上側フレームの挿入孔に係合される突起部と、突起部の下部から所定の長さ分だけ下方の位置まで延びる係合解除用穴とが設けられている。このように構成すれば、上側フレームの側面と下側フレームの側面との間にピンセットなどの先端の細い部材を挿入するとともに、突起部の下部から所定の長さ分だけ下方の位置まで延びた係合解除用穴に容易にピンセットなどを挿入することができる。これにより、係合解除用穴を支点としてピンセットなどを外側方向に回動させることによって、上側フレームを外側に撓ませることができるので、上側フレームの挿入孔に挿入されている下側フレームの突起部を容易に外すことができる。
【００２１】
上記第１の局面による表示装置において、好ましくは、表示パネルに取り付けられるとともに、上側フレームの内部から外部に延びるように配置された表示パネル用のフレキシブルプリント配線板をさらに備え、フレキシブルプリント配線板は、コネクタ差込部と、表示パネル側に配置される第１折り曲げ部と、コネクタ差込部および第１折り曲げ部の間に配置される第２折り曲げ部とを有する。このように構成すれば、第１折り曲げ部を折り曲げることによって、フレキシブルプリント配線板のコネクタ差込部を表示パネルの下側に配置することができる。また、フレキシブルプリント配線板に、コネクタ差込部および第１折り曲げ部の間に配置される第２折り曲げ部を設けることによって、第２コネクタ差込部に対して反対方向に向かってコネクタ差込部が差し込まれるコネクタ部が配置される場合にも、第２折り曲げ部を折り曲げることにより、コネクタ差込部をコネクタ部の差込口に向かって配置することができる。
【００２２】
上記第１折り曲げ部および第２折り曲げ部を有する表示装置において、好ましくは、フレキシブルプリント配線板には、第２電子部品および第３電子部品が取り付けられており、  フレキシブルプリント配線板は、第２電子部品が取り付けられる第１電子部品取付部と、第３電子部品が取り付けられる第２電子部品取付部と、第１電子部品取付部および第２電子部品取付部の間に配置される第３折り曲げ部とを有する。このように構成すれば、第３折り曲げ部を折り曲げることによって、第２電子部品取付部を第１電子部品取付部の下側に配置することができるので、フレキシブルプリント配線板の片面のみに電子部品を取り付ける場合にも、フレキシブルプリント配線板の上側および下側に電子部品を配置することができる。また、フレキシブルプリント配線板に、第１電子部品取付部と第２電子部品取付部との間に配置される第３折り曲げ部を設けることによって、フレキシブルプリント配線板の第３折り曲げ部を折り曲げることにより、第２電子部品取付部が第１電子部品取付部の下方に配置されるので、第２電子部品取付部が、コネクタ部に取り付けられるプリント配線基板の上方にオーバーラップすることがない。これにより、コネクタ部が取り付けられるプリント配線基板の配線領域として使用可能な面積を増加させることができる。
【００２３】
上記フレキシブルプリント配線板にコネクタ差込部と第２電子部品取付部とが設けられた表示装置において、好ましくは、フレキシブルプリント配線板のコネクタ差込部と第２電子部品取付部との間には、スリットが設けられている。このように構成すれば、スリットにより、コネクタ差込部と第２電子部品取付部とを別々に折り曲げることができる。
【００２４】
上記第１の局面による表示装置において、好ましくは、緩衝性材料は、発泡性材料からなる。このように構成すれば、第１緩衝部材および第２緩衝部材に、より容易に、衝撃吸収機能を持たせることができる。
【００２５】
この発明の第２の局面による携帯電話は、上記したいずれかの構成を有する表示装置を含む。このように構成すれば、落下などの衝撃に対して、表示パネルが破損することを抑制することが可能な表示装置を含む携帯電話を得ることができる。
【発明を実施するための最良の形態】
【００２６】
以下、本発明の実施形態を図面に基づいて説明する。
【００２７】
図１は、本発明の一実施形態によるＬＣＤユニット（表示装置）を示した斜視図である。図２は、本発明の一実施形態によるＬＣＤユニットを携帯電話のプリント配線基板に取り付けた状態を示した側面図である。図３は、図１に示した本発明の一実施形態によるＬＣＤユニットの分解斜視図である。図４〜図８は、図１に示した本発明の一実施形態によるＬＣＤユニットの詳細構造を説明するための図である。まず、図１〜図８を参照して、本発明の一実施形態によるＬＣＤユニット４０の構造について説明する。なお、本実施形態では、本発明の表示装置の一例としてのＬＣＤユニット４０について説明する。
【００２８】
本発明の一実施形態によるＬＣＤユニット４０は、図１および図２に示すように、板金からなる金属製の上側フレーム１および下側フレーム２と、上側フレーム１および下側フレーム２の内部に配置される上側偏光板３（図１参照）と、パネル用フレキシブルプリント配線板（パネル用ＦＰＣ）４とを備えている。なお、パネル用ＦＰＣ４は、本発明の「フレキシブルプリント配線板」の一例である。また、図２に示すように、ＬＣＤユニット４０は、携帯電話の上側シャーシ５１および下側シャーシ５２内に収納されるとともに、ＬＣＤユニット４０のパネル用ＦＰＣ４のコネクタ差込部４ｂ（図１参照）は、携帯電話のプリント配線基板３０のコネクタ部３１に接続されている。
【００２９】
また、金属製の下側フレーム２は、図３に示すように、底面部２ａと、底面部２ａの４辺から上方向に延びるように形成される４つの側面部２ｂとを含んでいる。この側面部２ｂには、図６に示すように、上側フレーム１の挿入孔１ｆに係合される複数の突起部２ｃが外側に向かって設けられている。
【００３０】
ここで、本実施形態では、図６および図８に示すように、下側フレーム２の側面部２ｂには、突起部２ｃの下部から所定の長さ分だけ下方の位置まで延びる係合解除用穴２ｄが設けられている。この係合解除用穴２ｄは、側面部２ｂに突起部２ｃを形成する際に同時に形成されるとともに、突起部２ｃを形成する際に側面部２ｂに形成される穴を下側に広げるように形成されている。また、図３に示すように、パネル用ＦＰＣ４が配置される側の下側フレーム２の側面部２ｂには、切欠部２ｅが設けられている。
【００３１】
また、下側フレーム２の底面部２ａの上側には、反射シート５が配置されている。また、反射シート５の上側には、底部に開口部６ａを有する樹脂製フレーム６が設けられている。この樹脂製フレーム６の下側フレーム２の切欠部２ｅに対応する部分には、パネル用ＦＰＣ４が挿入されるＦＰＣ挿入部６ｂが形成されている。
【００３２】
また、樹脂製フレーム６の内部には、図６および図７に示すように、下から順番に、後述するＬＥＤ７（図７参照）からの光をパネル全体に導くための導光板８と、２枚のレンズシート９とが配置されている。また、レンズシート９は、導光板８からの光を上側に透過するとともに、集光する機能を有する。また、レンズシート９の上側には、拡散シート１０が配置されている。この拡散シート１０は、レンズシート９からの光を上側に透過するとともに、拡散する機能を有する。また、図７に示すように、導光板８の上面には、図示しない両面テープによりバックライト用フレキシブルプリント配線板（バックライト用ＦＰＣ）１１が取り付けられている。このバックライト用ＦＰＣ１１には、樹脂製フレーム６のＦＰＣ挿入部６ｂから外側に突出するように延びる外部接続部が設けられているとともに、その外部接続部の先端部分には、コネクタ差込部１１ａ（図３参照）が設けられている。また、バックライト用ＦＰＣ１１には、導光板８に光を照射するＬＥＤ７が複数（本実施形態では４個）取り付けられている。また、４個のＬＥＤ７は、導光板８に向かって光を照射するように配置されている。
【００３３】
また、拡散シート１０の上面の縁部に沿った周辺部分には、図３に示すように、開口部１２ａを有する黒色の接着層１２が接着されている。この接着層１２は、レンズシート９の縁部の周辺部分を覆うように設けられ、レンズシート９の縁部の周辺部分から上方に向かって進行する光を遮光する機能を有する。また、拡散シート１０および接着層１２の上側には、図６および図７に示すように、下側偏光板１３が配置されている。この下側偏光板１３の上側には、液晶を挟み込むように対向配置された下側のガラス基板１４および上側のガラス基板１５が配置されている。なお、下側のガラス基板１４には、薄膜トランジスタ（図示せず）が形成されている。また、液晶および薄膜トランジスタを含むガラス基板１４および１５によって、表示パネルが構成されている。また、図７に示すように、下側のガラス基板１４には、上側のガラス基板１５から樹脂製フレーム６のＦＰＣ挿入部６ｂ側に突出した突出部１４ａが形成されている。また、ガラス基板１４および１５の表示領域に対応する部分の上側には、上側偏光板３が配置されている。
【００３４】
また、図３および図７に示すように、下側のガラス基板１４の突出部１４ａの上面には、表示パネルを駆動するための駆動ＩＣ１６およびパネル用ＦＰＣ４が取り付けられている。なお、駆動ＩＣ１６は、本発明の「第１電子部品」の一例である。また、パネル用ＦＰＣ４は、駆動ＩＣ１６に電気的に接続されている。
【００３５】
また、本実施形態では、パネル用ＦＰＣ４には、図３に示すように、複数の電子部品１７が取り付けられる電子部品取付部４ａと、コネクタ差込部４ｂと、電子部品１８が取り付けられる電子部品取付部４ｃとが設けられている。また、電子部品取付部４ａには、バックライト用ＦＰＣ１１のコネクタ差込部１１ａ（図３参照）が接続されるコネクタ部１９が取り付けられている。また、パネル用ＦＰＣ４のコネクタ差込部４ｂと電子部品取付部４ｃとの間には、コネクタ差込部４ｂと電子部品取付部４ｃとを個別に折り曲げることが可能なように、スリット４ｄが設けられている。なお、電子部品１７は、本発明の「第２電子部品」の一例であり、電子部品１８は、本発明の「第３電子部品」の一例である。また、電子部品取付部４ａは、本発明の「第１電子部品取付部」の一例であり、電子部品取付部４ｃは、本発明の「第２電子部品取付部」の一例である。
【００３６】
また、本実施形態では、パネル用ＦＰＣ４には、ガラス基板１４側に配置される折り曲げ部４ｅと、電子部品取付部４ａとコネクタ差込部４ｂとの間に配置される折り曲げ部４ｆと、電子部品取付部４ａおよび電子部品取付部４ｃの間に配置される折り曲げ部４ｇとが設けられている。また、折り曲げ部４ｇには、折り曲げ部４ｇを折り曲げやすくするために、折り曲げ孔４ｈが設けられている。なお、折り曲げ部４ｅは、本発明の「第１折り曲げ部」の一例であり、折り曲げ部４ｆは、本発明の「第２折り曲げ部」の一例であり、折り曲げ部４ｇは、本発明の「第３折り曲げ部」の一例である。
【００３７】
また、上側偏光板３の上側には、約０．４ｍｍの厚みを有する金属製の上側フレーム１が配置されている。この上側フレーム１には、ガラス基板１４および１５の表示領域に対応する部分に開口部１ａが設けられている。また、図３〜図５に示すように、上側フレーム１は、上面部１ｂ（図３参照）と、下面部１ｃと、上面部１ｂおよび下面部１ｃの４辺から下側フレーム２の方向に延びるように形成される４つの側面部１ｄとを含んでいる。また、図４および図５に示すように、下面部１ｃの駆動ＩＣ１６に対向する部分には、凹状に形成された対向部分１ｅが設けられている。この凹状の対向部分１ｅは、上側フレーム１の対向部分１ｅ以外の部分の厚み（約０．４ｍｍ）よりも小さい厚み（約０．２ｍｍ）を有する。また、図３および図４に示すように、上側フレーム１の側面部１ｄには、下側フレーム２の複数の突起部２ｃが挿入される複数の挿入孔１ｆが設けられている。また、図３〜図５に示すように、側面部１ｄには、下側フレーム２の切欠部２ｅに対応する位置に切欠部１ｇが設けられている。この下側フレーム２の切欠部２ｅおよび上側フレーム１の切欠部１ｇによって構成される開口部を介して、図１に示すように、パネル用ＦＰＣ４およびバックライト用ＦＰＣ１１が、外部に突出するように配置されている。
【００３８】
ここで、本実施形態では、図６に示すように、金属製の上側フレーム１と、ガラス基板１５の上面および樹脂製フレーム６の上面との間には、約０．１ｍｍ〜約０．２ｍｍの厚みを有する発泡性材料（スポンジ状の材料）からなる緩衝部材２０が配置されている。なお、緩衝部材２０は、本発明の「第１緩衝部材」の一例である。この緩衝部材２０は、図４および図５に示すように、上側フレーム１側に取り付けられている。すなわち、緩衝部材２０は、ガラス基板１５および樹脂製フレーム６側には取り付けられておらず、上側フレーム１の下面部１ｃにのみ図示しない接着層により貼り付けられている。また、緩衝部材２０は、図１、図３および図５に示すように、表示パネルを構成する上側のガラス基板１５の上面の縁部を囲むように設けられている。
【００３９】
また、本実施形態では、図４および図５に示すように、駆動ＩＣ１６（図３および図７参照）の上面に対向する金属製の上側フレーム１の対向部分１ｅには、約０．２ｍｍ〜約０．３ｍｍの厚みを有する発泡性材料（スポンジ状の材料）からなる緩衝部材２１が設けられている。なお、緩衝部材２１は、本発明の「第２緩衝部材」の一例である。この緩衝部材２１は、図７に示すように、上側フレーム１を取り付けた状態で、緩衝部材２１の下面に駆動ＩＣ１６の上面が食い込むように配置されている。これにより、落下などの衝撃により駆動ＩＣ１６と金属製の上側フレーム１とが近づく場合にも、緩衝部材２１により、駆動ＩＣ１６に加わる衝撃を緩和することが可能となるので、駆動ＩＣ１６が破損することを抑制することが可能となる。
【００４０】
図９は、本発明の一実施形態によるＬＣＤユニットの上側フレームおよび下側フレームの係合解除方法を示した断面図である。次に、図９を参照して、上側フレーム１および下側フレーム２の係合解除方法を説明する。まず、図９に示すように、上側フレーム１の側面部１ｄと下側フレーム２の側面部２ｂとの間にピンセット７０を挿入するとともに、係合解除用穴２ｄにピンセット７０を挿入する。この場合、係合解除用穴２ｄは、突起部２ｃの下部から所定の長さ分だけ下方の位置まで延びるように設けられているので、容易に、ピンセット７０を係合解除用穴２ｄに挿入すること可能となる。また、この状態から、係合解除用穴２ｄの端部を支点としてピンセット７０を図９の矢印Ａ方向に回動させることによって、上側フレーム１の側面部１ｄを図９の矢印Ｂ方向に撓ませる。これにより、上側フレーム１の側面部１ｄの挿入孔１ｆに挿入されている下側フレーム２の突起部２ｃを挿入孔１ｆから容易に外すことが可能となる。
【００４１】
本実施形態では、上記のように、上側フレーム１と、表示パネルを構成するガラス基板１５との間に、発泡性材料からなる緩衝部材２０を配置することによって、落下などにより、外枠を構成する金属製の上側フレーム１に衝撃が加わった場合にも、緩衝部材２０により衝撃が緩和された状態でガラス基板１５（表示パネル）に伝達されるので、ガラス基板１５（表示パネル）が破損することを抑制することができる。また、緩衝部材２０を発泡性材料により形成することによって、容易に、緩衝部材２０に衝撃吸収性を持たせることができる。
【００４２】
また、本実施形態では、金属製の上側フレーム１と樹脂製フレーム６との間に、発泡性材料からなる緩衝部材２０を配置することによって、落下などにより、外枠を構成する金属製の上側フレーム１に衝撃が加わった場合にも、緩衝部材２０により衝撃が緩和された状態で樹脂製フレーム６の上面に伝達されるので、樹脂製フレーム６に強い衝撃が加わることを抑制することができる。
【００４３】
また、本実施形態では、緩衝部材２０を、ガラス基板１５側には取り付けることなく上側フレーム１側に取り付けることによって、ＬＣＤユニット４０の内部に進入した埃などの異物を除去するために、上側フレーム１、樹脂製フレーム６およびガラス基板１５を分解する場合に、緩衝部材２０が、上側フレーム１側に取り付けられているとともにガラス基板１５側には取り付けられていないため、上側フレーム１と、ガラス基板１５とが両面テープにより互いに接着されている場合と異なり、ガラス基板１５を破損することなく容易に分解することができる。また、容易に分解することができるので、容易に、再度組み立てることができる。これにより、分解したＬＣＤユニット４０を容易に再利用することができる。
【００４４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
たとえば、上記実施形態では、本発明を、表示装置の一例としてのＬＣＤユニットに適用した例を示したが、本発明はこれに限らず、表示パネルを備えた表示装置であれば、有機ＥＬなどの他の表示装置に適用してもよい。
【００４６】
また、上記実施形態では、緩衝部材２０と緩衝部材２１とを別体で設ける例を示したが、本発明はこれに限らず、図１０および図１１に示す第１変形例のように、緩衝部材２０と緩衝部材２１とが同一の発泡性材料により一体的に設けられた緩衝部材８０を金属製の上側フレーム６１の下面部６１ｃに取り付けてもよい。なお、このように緩衝部材２０および２１を一体化する場合には、一体化された緩衝部材８０は、均一な厚みを有するため、図４および図７に示した凹状の対向部分１ｅと異なり、上側フレーム６１に厚みが小さい凹状の部分を設けていない。但し、一体化された緩衝部材８０を設ける場合に、図４および図７に示した構造と同様、対向部分１ｅに厚みの小さい凹状の部分を設けてもよい。
【００４７】
また、上記実施形態では、緩衝部材２０および緩衝部材２１を、緩衝性材料の一例としての発泡性材料（スポンジ状の材料）により形成する例を示したが、本発明はこれに限らず、緩衝部材２０および２１を、樹脂など（発泡スチロールやゴムなど）の他の緩衝性材料により形成してもよい。
【００４８】
また、上記実施形態では、ＬＣＤユニットを携帯電話の内部に配置した例を示したが、本発明はこれに限らず、ＬＣＤユニットを携帯電話以外の携帯機器の内部に配置してもよいし、携帯機器以外の装置の内部に配置してもよい。
【００４９】
また、上記実施形態では、ＬＥＤを４個設けた例を示したが、本発明はこれに限らず、ＬＥＤを４個よりも少なく設けてもよいし、５個以上設けてもよい。この場合、ＬＥＤを２個以上設けることが好ましい。
【００５０】
また、上記実施形態では、パネル用ＦＰＣ４の折り曲げ部４ｅ、４ｆおよび４ｇを折り曲げずに用いた例を示したが、本発明はこれに限らず、図１２〜図１７に示した本発明の一実施形態の第２〜第４変形例のように用いてもよい。すなわち、図１２および図１３に示す第２変形例のように、ＬＣＤユニット４０のパネル用ＦＰＣ４の折り曲げ部４ｅを折り曲げるとともに、折り曲げ方向に延びるパネル用ＦＰＣ４のコネクタ差込部４ｂを携帯電話のプリント配線基板３０のコネクタ部３１ａに接続するようにしてもよい。この場合、ＬＣＤユニット４０のパネル用ＦＰＣ４をＬＣＤユニット４０の下側フレーム２の下側に配置することができる。また、図１４および図１５に示す第３変形例のように、ＬＣＤユニット４０のパネル用ＦＰＣ４の折り曲げ部４ｅおよび４ｇを折り曲げるとともに、パネル用ＦＰＣ４の折り曲げ部４ｆ（図１４参照）を折り曲げずに用いてもよい。この場合、図１２および図１３に示した携帯電話のプリント配線基板３０のコネクタ部３１ａとは反対向きのコネクタ部３１ｂにパネル用ＦＰＣ４を差し込むことができる。また、図１６および図１７に示す第４変形例のように、ＬＣＤユニット４０のパネル用ＦＰＣ４の折り曲げ部４ｅおよび４ｆ（図１６参照）を折り曲げずに、パネル用ＦＰＣ４の折り曲げ部４ｇのみを折り曲げて用いてもよい。この場合、ＬＣＤユニット４０のパネル用ＦＰＣ４の上側および下側の両方に電子部品１７および１８を配置することができる。また、ＬＣＤユニット４０のパネル用ＦＰＣ４の折り曲げ部４ｇを折り曲げることにより、電子部品取付部４ｃが電子部品取付部４ａの下方に配置されるので、電子部品取付部４ｃが、携帯電話のプリント配線基板３０の上方にオーバーラップすることがない。これにより、携帯電話のプリント配線基板３０の配線領域として使用可能な面積を増加させることができる。
【図面の簡単な説明】
【００５１】
【図１】本発明の一実施形態によるＬＣＤユニットの全体構成を示した斜視図である。
【図２】図１に示した本発明の一実施形態によるＬＣＤユニットを携帯電話のプリント配線基板に取り付けた状態を示した側面図である。
【図３】図１に示した本発明の一実施形態によるＬＣＤユニットの分解斜視図である。
【図４】図１に示した一実施形態によるＬＣＤユニットの上側フレームおよび緩衝部材を示した斜視図である。
【図５】図１に示した一実施形態によるＬＣＤユニットの上側フレームおよび緩衝部材を示した平面図である。
【図６】図１の１００−１００線に沿った断面図である。
【図７】図１の２００−２００線に沿った断面図である。
【図８】図１に示した一実施形態によるＬＣＤユニットの上側フレームおよび下側フレームの係合状態を示した正面図である。
【図９】本発明の一実施形態によるＬＣＤユニットの上側フレームおよび下側フレームの係合解除方法を示した断面図である。
【図１０】本発明の一実施形態の第１変形例によるＬＣＤユニットの上側フレームを示した斜視図である。
【図１１】本発明の一実施形態の第１変形例によるＬＣＤユニットの断面図である。
【図１２】本発明の一実施形態の第２変形例によるＬＣＤユニットを携帯電話のプリント配線基板に取り付けた状態を示した斜視図である。
【図１３】図１１に示した本発明の一実施形態の第２変形例によるＬＣＤユニットを携帯電話のプリント配線基板に取り付けた状態を示した側面図である。
【図１４】本発明の一実施形態の第３変形例によるＬＣＤユニットを携帯電話のプリント配線基板に取り付けた状態を示した斜視図である。
【図１５】図１３に示した本発明の一実施形態の第３変形例によるＬＣＤユニットを携帯電話のプリント配線基板に取り付けた状態を示した側面図である。
【図１６】本発明の一実施形態の第４変形例によるＬＣＤユニットを携帯電話のプリント配線基板に取り付けた状態を示した斜視図である。
【図１７】図１５に示した本発明の一実施形態の第４変形例によるＬＣＤユニットを携帯電話のプリント配線基板に取り付けた状態を示した側面図である。
【図１８】従来の一例によるＬＣＤユニットの全体構成を示した斜視図である。
【図１９】図１８に示した従来のＬＣＤユニットの分解斜視図である。
【図２０】図１８に示した従来のＬＣＤユニットの上側フレームおよび両面テープを示した平面図である。
【図２１】図１８の３００−３００線に沿った断面斜視図である。
【図２２】図１８の４００−４００線に沿った断面斜視図である。
【符号の説明】
【００５２】
１  上側フレーム
１ｅ  対向部分
１ｆ  挿入孔
２  下側フレーム
２ｃ  突起部
２ｄ  係合解除用穴
４  パネル用ＦＰＣ（フレキシブルプリント配線板）
４ａ  電子部品取付部（第１電子部品取付部）
４ｂ  コネクタ差込部
４ｃ  電子部品取付部（第２電子部品取付部）
４ｄ  スリット
４ｅ  折り曲げ部（第１折り曲げ部）
４ｆ  折り曲げ部（第２折り曲げ部）
４ｇ  折り曲げ部（第３折り曲げ部）
６  樹脂製フレーム
１４  ガラス基板（表示パネル）
１５  ガラス基板（表示パネル）
１６  駆動ＩＣ（第１電子部品）
１７  電子部品（第２電子部品）
１８  電子部品（第３電子部品）
２０  緩衝部材（第１緩衝部材）
２１  緩衝部材（第２緩衝部材）
【図１】
2006154366.tif 000003
【図２】
2006154366.tif 000004
【図３】
2006154366.tif 000005
【図４】
2006154366.tif 000006
【図５】
2006154366.tif 000007
【図６】
2006154366.tif 000008
【図７】
2006154366.tif 000009
【図８】
2006154366.tif 000010
【図９】
2006154366.tif 000011
【図１０】
2006154366.tif 000012
【図１１】
2006154366.tif 000013
【図１２】
2006154366.tif 000014
【図１３】
2006154366.tif 000015
【図１４】
2006154366.tif 000016
【図１５】
2006154366.tif 000017
【図１６】
2006154366.tif 000018
【図１７】
2006154366.tif 000019
【図１８】
2006154366.tif 000020
【図１９】
2006154366.tif 000021
【図２０】
2006154366.tif 000022
【図２１】
2006154366.tif 000023
【図２２】
2006154366.tif 000024